(57)【特許請求の範囲】
【請求項１】
カット刃を取付けるためのカット刃取付部材と、カット刃を前記カット刃取付部材に固定するためのカット刃固定手段と、前記カット刃の傾きを矯正するための校正部材と、カット刃の刃先以外の箇所を保持することができ、かつ、前記校正部材に対して相対的に移動可能となったカット刃仮保持部とを備え、
前記カット刃取付部材に配設されているカット刃を前記カット刃固定手段による固定状態から解放すると共に前記カット刃仮保持部によって軽く保持させた後、
前記カット刃仮保持部によってカット刃を移動させ、カット刃の刃先と反対側の面を前記校正部材に押圧させることによってカット刃の傾きを矯正し、
ついで、前記カット刃固定手段によりカット刃を前記カット刃取付部材に固定することを特徴とするカット刃の取付け角度設定方法。
【請求項２】
前記校正部材は、前記カット刃固定手段に設けられていることを特徴とする、請求項１に記載のカット刃の取付け角度設定方法。
【請求項３】
カット刃を取付けるためのカット刃取付部材と、カット刃を前記カット刃取付部材に固定するためのカット刃固定手段と、前記カット刃取付部材及びカット刃固定手段に対して相対的に移動可能となった、前記カット刃の傾きを矯正するための校正部材とを備え、
前記カット刃取付部材に配設されているカット刃を前記カット刃固定手段によって軽く保持させた後、
前記校正部材を移動させ、カット刃の刃先と反対側の面に前記校正部材を押圧させることによってカット刃の傾きを矯正し、
ついで、前記カット刃固定手段によりカット刃を前記カット刃取付部材に固定することを特徴とするカット刃の取付け角度設定方法。
【請求項４】
前記校正部材の長さは、カット刃の全長と等しいか、もしくはカット刃の全長よりも長くなっていることを特徴とする、請求項１、２又は３に記載のカット刃の取付け角度設定方法。
【発明の詳細な説明】
【０００１】
【発明の属する技術分野】
本発明は、カット刃の取付け角度設定方法に関し、具体的には、セラミックブロック等を切断するためのカッティング装置において、カット刃取付部材に取付けられたカット刃の傾きを矯正してカット刃取付部材に固定するための方法に関する。
【０００２】
【従来の技術】
図１はカッティング装置に用いられているカット刃固定機構の構成を示す側面図である。また、図２は、図１に示すカット刃固定機構の正面図である。図１および図２に示すカット刃固定機構においては、断面逆Ｕ字状に形成されたカット刃取付部材２の後方鉛直板にシリンダー３が取り付けられており、当該後方鉛直板を摺動自在に貫通しているシリンダー３のロッドの先端にはシリンダーヘッド６が設けられている。横長長方形状をしたカット刃１は、カット刃取付部材２の前方鉛直板内面のクランプ面５に沿うように配設されており、当該前方鉛直板のクランプ面５とシリンダーヘッド６の先端のクランプ面４との間に所定圧力で挟み込んで固定されている。
【０００３】
このようなカッティング装置では、カット刃を保持したカット刃固定機構を断裁テーブル上のセラミックブロック等の上に下降させてカット刃でセラミックブロック等を断裁するので、カット刃が断裁テーブルに衝突しないように、カット刃を断裁テーブルと正確に平行となるようにしてカット刃取付部材に固定しておく必要がある。
【０００４】
例えば、新しいカット刃を取り付ける場合、上記従来例によるカット刃固定機構では、以下に説明するようにして新しいカット刃が断裁テーブルと平行になるように矯正される。まず、シリンダー３を縮めてシリンダーヘッド６を後退させ、カット刃取付部材２の前方鉛直板内面のクランプ面５とシリンダーヘッド６先端のクランプ面４の間隙に新しいカット刃１をセットする。その後、シリンダー３を伸張させてシリンダーヘッド６を前進させ、外力により軽く摺動する程度の保持力でクランプ面４、５間においてカット刃１を保持させる。一方、図１及び図２に示すように、断裁テーブル８の上には、カット刃１の両端部に対向させて位置決めコマ７を置いておく。
【０００５】
ついで、カット刃取付部材２を下降させてカット刃１の刃先を位置決めコマ７に押し当てる。このとき、カット刃１はクランプ面４、５をスライドし、このスライドに任せて、カット刃１は位置決めコマ７に押し当てられるので、カット刃１は位置決めコマ７の上面に倣った形で断裁テーブル８と平行に調整される。この時点で、シリンダー３の押圧力を上昇させ、カット刃１をクランプ面４、５で動かないように固定する。これで、カット刃１が水平調整された状態でカット刃固定機構に強固に保持されることになる。
【０００６】
【発明が解決しようとする課題】
上記のようにカット刃１の水平調整に位置決めコマ７を用いているのは、カット刃１を断裁テーブル８の上面に直接押し当てて水平調整すれば、カット刃１の刃先が衝撃によって破損する恐れがあり、断裁テーブル８もカット刃１によって傷つくためである。
【０００７】
また、位置決めコマ７は、弾性のある材質でできているとカット刃１の水平調整を行えないので、硬質の材料でできている。このような硬質の位置決めコマ７にカット刃１が押し当てられると、やはりカット刃１が位置決めコマ７に衝突してその部分の刃先が破損する恐れがあり、これによりセラミックブロックなどの切断に使用できなくなることがある。そのため、位置決めコマ７は、セラミックブロック等の切断に使用されないカット刃１の両端のみに当接させるようにしている。
【０００８】
この結果、カット刃１はセラミックブロック等を切断する長さだけでは足りず、位置決めコマ７に当てるための長さが余分に必要になり、カット刃１の刃長（刃渡り）が長くなる。また、位置決めコマ７はカット刃１の両端部を支持するので、刃長が長くなった場合、位置決めコマ７から離れているカット刃１の中央あたりが撓んで、断裁テーブル８と刃先との平行を維持できなくなるという問題があった。
【０００９】
本発明は、上記の従来例の問題点に鑑みてなされたものであり、その目的とするところは、カット刃の刃先を断裁テーブル等の基準面に対して平行に調整する際に、カット刃の刃先の部分を用いることなく調整することができるようにしたカット刃の取付け角度設定方法を提供することにある。
【００１０】
【課題を解決するための手段】
請求項１に記載したカット刃の取付け角度設定方法は、カット刃を取付けるためのカット刃取付部材と、カット刃を前記カット刃取付部材に固定するためのカット刃固定手段と、前記カット刃の傾きを矯正するための校正部材と、カット刃の刃先以外の箇所を保持することができ、かつ、前記校正部材に対して相対的に移動可能となったカット刃仮保持部とを備え、前記カット刃取付部材に配設されているカット刃を前記カット刃固定手段による固定状態から解放すると共に前記カット刃仮保持部によって軽く保持させた後、前記カット刃仮保持部によってカット刃を移動させ、カット刃の刃先と反対側の面を前記校正部材に押圧させることによってカット刃の傾きを矯正し、ついで、前記カット刃固定手段によりカット刃を前記カット刃取付部材に固定することを特徴としている。
【００１１】
前記校正部材によりカット刃の傾きを矯正するとは、例えば被断裁物が置かれる断裁テーブルの上面とカット刃の刃先とが平行となるようにカット刃の傾きを調整することであり、そのためには、カット刃の刃先と反対側が当たる面が断裁テーブルの上面と平行となるようにして校正部材が配置されていればよい。また、カット刃仮保持部によりカット刃を軽く保持するとは、カット刃が脱落しないが、外力が加わった場合には軽い動く程度の保持力で保持することをいう。
【００１２】
請求項１におけるカット刃の取付け角度設定方法によれば、カット刃の刃先と反対側の面を校正部材に押圧させてカット刃の傾きを矯正しており、また、カット刃の仮保持部も刃先以外の箇所を保持するようにしているので、カット刃の刃先の傾きを矯正する際にカット刃の刃先が他の部材に衝突したりして破損することが無くなる。なお、校正部材とカット刃仮保持部とは相対的に移動すればよいので、校正部材が静止していてカット刃仮保持部が移動してもよく、カット刃仮保持部が静止していて校正部材が移動してもよく、両者が同時に移動しても差し支えない。
【００１３】
請求項２に記載の実施の態様では、請求項１に記載したカット刃の取付け角度設定方法における前記校正部材が、前記カット刃固定手段に設けられていることを特徴としている。この実施の態様によれば、校正部材がカット刃固定手段に設けられているので、校正部材を位置決めして取付けるための部材が別途必要なく、カット刃の取付け角度を設定するための構造を簡略にし、かつ、コンパクトにすることができる。
【００１４】
請求項３に記載したカット刃の取付け角度設定方法は、カット刃を取付けるためのカット刃取付部材と、カット刃を前記カット刃取付部材に固定するためのカット刃固定手段と、前記カット刃取付部材及びカット刃固定手段に対して相対的に移動可能となった、前記カット刃の傾きを矯正するための校正部材とを備え、前記カット刃取付部材に配設されているカット刃を前記カット刃固定手段によって軽く保持させた後、前記校正部材を移動させ、カット刃の刃先と反対側の面に前記校正部材を押圧させることによってカット刃の傾きを矯正し、ついで、前記カット刃固定手段によりカット刃を前記カット刃取付部材に固定することを特徴としている。ここでも、カット刃固定手段によりカット刃を軽く保持するとは、カット刃が脱落しないが、外力が加わった場合には軽い動く程度の保持力で保持することをいう。
【００１５】
請求項３におけるカット刃の取付け角度設定方法によっても、カット刃の刃先と反対側の面を校正部材に押圧させてカット刃の傾きを矯正しているので、カット刃の刃先の傾きを矯正する際にカット刃の刃先が他の部材に衝突したりして破損することが無くなる。また、請求項３に記載の方法では、カット刃取付部材及びカット刃固定手段と校正部材とが別個になっているので、カット刃仮保持手段が必要なく、カット刃の取付け角度を設定するための構造を簡略にすることができる。なお、校正部材とカット刃取付部材及びカット刃固定手段とは相対的に移動すればよいので、校正部材が静止していてカット刃取付部材及びカット刃固定手段とが移動してもよく、カット刃取付部材及びカット刃固定手段が静止していて校正部材が移動してもよく、両者が同時に移動しても差し支えない。
【００１６】
請求項４に記載の実施の態様は、請求項１、２又は３に記載したカット刃の取付け角度設定方法における前記校正部材の長さは、カット刃の全長と等しいか、もしくはカット刃の全長よりも長くなっていることを特徴としている。この実施の態様によれば、カット刃の全長を校正部材に押圧させて矯正することができるので、カット刃の傾きだけでなく、カット刃の撓みや波打ちといった変形も矯正することが可能になる。
【００１７】
【発明の実施の形態】
（第１の実施形態）
図３は本発明の第１の実施形態を示す断面図であって、１０分の数ｍｍ〜１ｍｍ程度の厚みを有するセラミックブロック等を切断するためのカッティング装置に用いられるカット刃固定機構１１の構成を示している。また、図４は図３に示すカット刃固定機構１１の斜視図である。図３および図４に示すカット刃固定機構１１は、断面逆Ｕ字状に形成されたカット刃取付部材１２と、カミソリ状をした薄手のカット刃１３の刃先部分以外の箇所をカット刃取付部材１２との間に挟み込んで固定する手段と、カット刃１３の上面を押圧させることによってカット刃１３が水平となるように傾きを矯正する手段と、カット刃１３を両面から挟んで仮保持する手段とを備えている。
【００１８】
カット刃１３の傾きを矯正する手段は、カット刃１３の刃先が断裁テーブル１８の上面と平行となるように位置決めするものであって、カット刃取付部材１２の前方鉛直板１４に取り付けられた校正部材１５によって構成されている。すなわち、カット刃取付部材１２の前方鉛直板１４内面には、前方鉛直板１４の全長にわたって水平に角溝１６が凹設されており、この角溝１６内の全長にわたって角棒状をした校正部材１５の一部が嵌合されていて、校正部材１５の一部が前方鉛直板１４の内面に突出している。校正部材１５は、前方鉛直板１４に貫通させたネジ１７によって前方鉛直板１４の内面に固定されている。カット刃取付部材１２の角溝１６は、水平方向すなわち断裁テーブル１８の上面と平行な方向に伸びており、校正部材１５は当該角溝１６に嵌合させて位置決めされることにより、直線状に保持されると共に断裁テーブル１８の上面と平行に保持される。また、校正部材１５は、セラミックブロックなどを切断する際にカット刃１３を押えつける役目と、カット刃１３をカット刃取付部材１２に取付ける際にカット刃１３の上面を当てて水平に位置決めする役目とを兼ねている。
【００１９】
カット刃１３をカット刃取付部材１２に固定する手段は、断裁テーブル１８の上面に対してカット刃１３が垂直となるように保持するものであって、カット刃取付部材１２の前方鉛直板１４と、カット刃１３を全長にわたって押圧する押圧板１９と、押圧板１９による押圧力を調整するための調整ネジ２０とからなる。押圧板１９は、前方鉛直板１４の内面と対向しており、調整ネジ２０によって支持されている。調整ネジ２０は、カット刃取付部材１２の後方鉛直板２１に設けられた雌ネジ孔（図示せず）に螺合されており、後方鉛直板２１を貫通した複数本の調整ネジ２０の先端は、押圧板１９の外面に回転自在に連結されている。従って、各調整ネジ２０を回して締めることによって押圧板１９を前方鉛直板１４に接近させることができ、校正部材１５の下方で前方鉛直板１４の内面と押圧板１９との間にカット刃１３を挟持させることができる。また、調整ネジ２０を回して緩めることにより押圧板１９を後退させることができる。なお、押圧板１９の内面のうち、校正部材１５と対向する位置には、校正部材１５がはまり込むような大きさの凹部２２が設けられているので、校正部材１５の突出長よりも薄いカット刃１３も押圧板１９と前方鉛直板１４との間に挟み込むことができる。
【００２０】
なお、複数本の調整ネジ２０は、図４に示すようにカット刃取付部材１２の後方から見て左右対称に設けられている。また、複数本のネジ１７は、カット刃取付部材１２の正面から見て左右対称に設けられている。
【００２１】
カット刃１３の水平調整時にカット刃１３を仮保持する手段（カット刃仮保持部）は、水平に移動して開閉するようになった２つのチャック爪２３、２４を有するチャック機構によって構成されている。図示しないが、各チャック爪２３、２４は、水平な複数本のガイド軸によって上部をスライド自在に支持されており、カット刃１３の位置を中心として前後に水平移動できるようになっている。各チャック爪２３、２４を水平移動させる手段としては、エアシリンダ等を用いてもよい。あるいは、チャック爪２３側とチャック爪２４側とで互いに逆ネジとなるように雄ネジを設けたボールネジを両チャック爪２３、２４のネジ孔に挿通させておき、ボールネジを回転させることでチャック爪２３、２４間を開閉できるようにしてもよい。よって、チャック爪２３、２４を閉じることにより、カット刃取付部材１２の下方において、チャック爪２３、２４の先端間でカット刃１３が全長にわたって挟持されるようになっている。なお、チャック爪２３、２４を閉じた後で、調整ネジ２０を操作できるよう、チャック爪２３には調整ネジ２０に対向する位置に孔を開けておくのが望ましい。
【００２２】
また、断裁テーブル１８の上面には、カット刃取付部材１２に保持されたカット刃１３と対向するようにして木製ないしプラスチック製の溝木２５が設けられている。
【００２３】
次に図５（ａ）（ｂ）（ｃ），図６（ｄ）（ｅ），図７（ｆ）（ｇ）を参照してカット刃１３をカット刃固定機構１１にセットする方法について説明する。図５（ａ）は、新しいカット刃１３をカット刃取付部材１２の前方鉛直板１４と押圧板１９との間に挟みこんで保持させた状態を示している。あるいは、使用によって位置のずれたカット刃１３を表わしていると考えてもよい。このような状態からカット刃１３の水平調整を行う場合には、まず図５（ｂ）に示すようにチャック爪２３、２４を閉じてカット刃１３の下部を挟み込んで保持する。このときチャック爪２３、２４の保持力は、カット刃１３が脱落しない程度に強く、且つ、外力が加わった場合には、カット刃１３がチャック爪２３、２４間で軽く滑り動く程度としておく。
【００２４】
ついで、図５（ｃ）に示すように、調整ネジ２０を緩めてカット刃１３を押圧板１９と前方鉛直板１４との間から解放した（カット刃１３が軽く摺動する程度に押圧力を緩めるだけでもよい。）後、図６（ｄ）に示すようにカット刃取付部材１２を下降させる。カット刃１３をチャック爪２３、２４間に保持させた状態でカット刃取付部材１２を下降させると、校正部材１５の下面がカット刃１３の上面に当接し、さらにカット刃取付部材１２を下降させると、図８に示すように、カット刃１３の上面が校正部材１５で押えられることによってチャック爪２３、２４間に保持されているカット刃１３が滑り動き、カット刃１３の上面が全長にわたって校正部材１５の下面に当接させられる。よって、この段階で、カット刃１３は、その刃先が断裁テーブル１８の上面と平行となるように調整される。
【００２５】
この段階で、図６（ｅ）に示すように、調整ネジ２０を締め付け、カット刃１３を強い押圧力で押圧板１９と前方鉛直板１４の間に挟みこむ。よって、カット刃１３は断裁テーブル１８と平行な状態でカット刃取付部材１２にしっかりと固定される。
【００２６】
ついで、図７（ｆ）に示すように、チャック爪２３、２４を開いてチャック爪２３、２４からカット刃１３を解放した後、図７（ｇ）に示すようにカット刃取付部材１２を元の位置まで上昇させる。これによりカット刃１３がカット刃取付部材１２に正しくセットされる。
【００２７】
なお、上記実施形態では、カット刃１３を保持しているチャック爪２３、２４を静止させたままでカット刃取付部材１２を下降させたが、これとは反対に、カット刃取付部材１２を静止させたまま、カット刃１３を保持しているチャック爪２３、２４を上昇させてカット刃１３の上面を校正部材１５の下面に当てるようにしてもよい。
【００２８】
このようにしてカット刃１３をカット刃固定機構１１に取付ければ、カット刃１３の刃先に他の部材が接触することがないので、カット刃１３の調整作業によってカット刃１３の刃先が損傷する恐れが無くなる。また、押圧板１９はカット刃１３を全長にわたって押えているので、カット刃１３の上面側から見て、カット刃１３が前後に波打ったりすることがなく、薄手のカット刃１３も平らな状態となるように矯正してカット刃取付部材１２に取付けることができる。さらに、カット刃１３はチャック爪２３、２４によって全長を保持された状態で校正部材１５に押し当てられるので、カット刃１３が図９（ａ）のように上下に波打っていたり、撓んでいたりする場合でも、校正部材１５に押し当てられることで図９（ｂ）のように真っ直ぐに矯正される。
【００２９】
このようにしてカット刃１３を水平に保ってカット刃取付部材１２に取付けられたカッティング装置は、図１０（ａ）（ｂ）に示すように、断裁テーブル１８の上に置かれたセラミックブロック等の被断裁物２６の上に下降させられ、カット刃１３の刃先が被断裁物２６を通過して被断裁物２６を切断する。このときカット刃１３の刃先は、溝木２５に衝突することなく溝木２５の溝内の途中で止まるので、溝木２５で刃先が破損することはない。
【００３０】
（第２の実施形態）
図１１は本発明の別な実施形態によるカット刃固定機構３１の構造を示す概略側面図である。このカット刃固定機構３１と第１の実施形態によるカット刃固定機構１１との主な違いは、カット刃１３を固定する手段として、カット刃仮保持手段のチャック爪２３、２４と同様なチャック機構を用いている点にある。すなわち、この実施形態では、カット刃１３の固定手段を２つのチャック爪３２、３３からなるチャック機構によって構成し、チャック爪３２、３３間にカット刃１３を挟み込むようにすると共に一方のチャック爪３３の上部に校正部材１５を設けている。
【００３１】
（第３の実施形態）
図１２は本発明のさらに別な実施形態によるカット刃固定機構４１の構造を示す斜視図である。このカット刃固定機構４１にあっては、校正部材１５をカット刃取付部材１２に設けず、カット刃取付部材１２と校正部材１５を個別に形成した点を特徴としている。
【００３２】
このカット刃固定機構４１にあっては、前方鉛直板１４の両側端と後方鉛直板２１の両側端とが側板４２によって連結されていてカット刃取付部材１２が角枠状をしている。よって、カット刃取付部材１２の上面及び下面が開口しており、前方鉛直板１４と押圧板１９との間に挟みこんで固定されているカット刃１３の上部及び下部がそれぞれカット刃取付部材１２の上端及び下端から突出している。
【００３３】
このカット刃取付部材１２は、垂直に昇降するようになっており、校正部材１５は、カット刃取付部材１２に取付けられたカット刃１３の上面と対向するようにして水平に（すなわち、断裁テーブル１８の上面と平行になるようにして）固定されている。
【００３４】
しかして、この実施形態でカット刃１３の水平調整を行う場合には、図１３（ａ）（ｂ）（ｃ）に示すように行う。すなわち、まず図１３（ａ）に示すように、調整ネジ２０を回してカット刃１３が脱落せず、かつカット刃１３が外力で軽く滑り動く程度に押圧板１９の押圧力を緩くする。ついで、図１３（ｂ）に示すように、カット刃取付部材１２を上昇させてカット刃１３の上面を校正部材１５の下面に当接させ、校正部材１５でカット刃１３の上面を押えることでカット刃１３を水平に調整する。この後、調整ネジ２０を締めて押圧板１９によりカット刃１３をしっかりと固定し、図１３（ｃ）のようにカット刃取付部材１２を元の高さまで下降させる。
【００３５】
このような実施形態によれば、刃先を損傷させることなくカット刃１３を水平に調整して取付けることができるのはもちろん、前記チャック爪２３、２４のようなカット刃仮保持手段を不要にでき、構造を簡単にすることができる。
【００３６】
なお、図１２、図１３のような実施形態においても、カット刃取付部材１２を静止させたままで校正部材１５を水平に保ったままで下降させ、下降した校正部材１５をカット刃１３の上面に当接させることによってカット刃１３を水平に調整させてもよい。
【００３７】
【発明の効果】
請求項１に記載したカット刃の取付け角度設定方法にあっては、カット刃の刃先と反対側の面を校正部材に押圧させてカット刃の傾きを矯正しており、また、カット刃の仮保持部も刃先以外の箇所を保持するようにしているので、カット刃の刃先の傾きを矯正する際にカット刃の刃先が他の部材に衝突したりして破損することが無くなる。
【００３８】
請求項２に記載の実施の態様では、校正部材がカット刃固定手段に設けられているので、校正部材を位置決めして取付けるための部材が別途必要なく、カット刃の取付け角度を設定するための構造を簡略にし、かつ、コンパクトにすることができる。
【００３９】
請求項３におけるカット刃の取付け角度設定方法にあっては、カット刃の刃先と反対側の面を校正部材に押圧させてカット刃の傾きを矯正しているので、カット刃の刃先の傾きを矯正する際にカット刃の刃先が他の部材に衝突したりして破損することが無くなる。また、請求項３に記載の方法では、カット刃取付部材及びカット刃固定手段と校正部材とが別個になっているので、カット刃仮保持手段が必要なく、カット刃の取付け角度を設定するための構造を簡略にすることができる。
【００４０】
請求項４に記載の実施の態様にあっては、前記校正部材の長さが、カット刃の全長と等しいか、もしくはカット刃の全長よりも長くなっているので、カット刃の全長を校正部材に押圧させて矯正することができ、カット刃の傾きだけでなく、カット刃の撓みや波打ちといった変形も矯正することができる。
【００４１】
よって、本発明の方法によれば、カット刃を取付ける際におけるカット刃の破損を最小限にすることができ、被裁断物の断裁不良などを少なくすることができる。
【図面の簡単な説明】
【図１】従来例によるカット刃の取付け角度設定方法に用いられるカット刃固定機構の構成を示す側面図である。
【図２】図１に示すカット刃固定機構の構成を示す正面図である。
【図３】本発明の第１の実施形態に係るカット刃の取付け角度設定方法に用いられるカット刃固定機構の構成を示す断面図である。
【図４】図３に示すカット刃固定機構の斜視図である。
【図５】（ａ）（ｂ）（ｃ）は、第１の実施形態においてカット刃をカット刃固定機構に固定する方法を説明する側面図である。
【図６】（ｄ）（ｅ）は、第１の実施形態においてカット刃をカット刃固定機構に固定する方法を説明する側面図であって、図５の続図である。
【図７】（ｆ）（ｇ）は、第１の実施形態においてカット刃をカット刃固定機構に固定する方法を説明する側面図であって、図６の続図である。
【図８】カット刃が校正部材によって水平調整される様子を説明する図である。
【図９】湾曲したカット刃が校正部材によって矯正される様子を説明する図である。
【図１０】（ａ）（ｂ）は、カット刃によって被断裁物を切断する工程を説明する図である。
【図１１】本発明の第２の実施形態に係るカット刃の取付け角度設定方法に用いられるカット刃固定機構を示す概略側面図である。
【図１２】本発明の第３の実施形態に係るカット刃の取付け角度設定方法に用いられるカット刃固定機構を示す斜視図である。
【図１３】（ａ）（ｂ）（ｃ）は、第３の実施形態においてカット刃をカット刃固定機構に固定する方法を説明する側面図である。
【符号の説明】
１１      カット刃固定機構
１２      カット刃取付部材
１３      カット刃
１５      校正部材
１９      押圧板
２０      調整ネジ
２３、２４      チャック爪
３１      カット刃固定機構
３２、３３      チャック爪
４１      カット刃固定機構
【図１】
0003867563.tif 000002
【図２】
0003867563.tif 000003
【図３】
0003867563.tif 000004
【図４】
0003867563.tif 000005
【図５】
0003867563.tif 000006
【図６】
0003867563.tif 000007
【図７】
0003867563.tif 000008
【図８】
0003867563.tif 000009
【図９】
0003867563.tif 000010
【図１０】
0003867563.tif 000011
【図１１】
0003867563.tif 000012
【図１２】
0003867563.tif 000013
【図１３】
0003867563.tif 000014